(57)【要約】      （修正有）【課題】直接照射して使用者の目を傷つける恐れがなく、しかも射出する光線を均一に分散することができる直下式発光ダイオード照明ランプユニットを提供する。【解決手段】直下式発光ダイオード照明ランプユニットは、表面１１を備えるベース１、ベース１の表面１１に設置する印刷回路板２、複数の発光ダイオードモジュール３を備え、各発光ダイオードモジュール３は印刷回路板２のベース１の表面１１とは異なる一面に設置する発光ダイオード３１、発光ダイオード３１に嵌めて設置するランプボックス３２を備え、各ランプボックス３２は第一開口、第一開口に相対し、しかもそれぞれ各発光ダイオード３１を囲んで接続する第二開口を開設する。【選択図】図１
0003172381.tif 000002
【実用新案登録請求の範囲】
【請求項１】
直下式発光ダイオード照明ランプユニットは、ベース、印刷回路板、複数の発光ダイオードモジュールを備え、
前記ベースは、表面を備え、
前記印刷回路板は、前記ベースの表面に設置し、
前記複数の発光ダイオードモジュールは、前記印刷回路板のベース表面とは異なる一面に設置し、前記各発光ダイオードモジュールは、前記印刷回路板のベース表面とは異なる一面に設置する発光ダイオード、及び前記発光ダイオードに嵌めて設置するランプボックスを備え、
前記各ランプボックスは、第一開口、及び前記第一開口に相対し、しかもそれぞれ前記各発光ダイオードを囲んで接続する第二開口を開設することを特徴とする直下式発光ダイオード照明ランプユニット。
【請求項２】
前記各ランプボックスの第一開口には、光透過片を被せて設置することを特徴とする請求項１に記載の直下式発光ダイオード照明ランプユニット。
【請求項３】
前記光透過片は、カラー光透過片或いは透明光透過片であることを特徴とする請求項２に記載の直下式発光ダイオード照明ランプユニット。
【請求項４】
前記光透過片は、凹レンズ片或いは凸レンズ片であることを特徴とする請求項２に記載の直下式発光ダイオード照明ランプユニット。
【請求項５】
前記凸レンズ片は、フレネルレンズ（Ｆｒｅｓｎｅｌ  ｌｅｎｓ）であることを特徴とする請求項４に記載の直下式発光ダイオード照明ランプユニット。
【請求項６】
前記各ランプボックスの第一開口位置の外壁には、複数の固定孔を陥没状に設置し、前記光透過片の一面には、前記複数の固定孔に相対する複数の固定柱を突出状に設置することを特徴とする請求項２〜５中の任意の一項に記載の直下式発光ダイオード照明ランプユニット。
【請求項７】
前記ベースは、アルミ金属構造であることを特徴とする請求項１に記載の直下式発光ダイオード照明ランプユニット。
【請求項８】
前記ベースには、複数の第一ベースネジ孔、及び複数の第二ベースネジ孔を貫通状に設置し、
前記印刷回路板には、複数の第一ベースネジ孔に相対する複数の印刷回路板ネジ孔を貫通状に設置し、
前記各ランプボックスの第二開口位置の外壁には、前記複数の第二ベースネジ孔に相対する複数のランプボックスネジ孔を貫通状に設置することを特徴とする請求項１に記載の直下式発光ダイオード照明ランプユニット。
【請求項９】
前記ベースの外観は、板状構造、ブロック体構造或いは棒状構造であることを特徴とする請求項１に記載の直下式発光ダイオード照明ランプユニット。
【請求項１０】
前記印刷回路板には、複数の溶接点、及び前記複数の溶接点に溶接する複数の電線を設置することを特徴とする請求項１に記載の直下式発光ダイオード照明ランプユニット。
【考案の詳細な説明】
【技術分野】
【０００１】
本考案は直下式発光ダイオード照明ランプユニットに関し、特に直接照射して使用者の目を傷つける恐れがなく、しかも射出する光線を均一に分散することができる直下式発光ダイオード照明ランプユニットに関する。
【背景技術】
【０００２】
発光ダイオードは、固態の半導体部品で、電子正孔の相互対応を利用し、エネルギーを光の形式で釈放するものである。
しかも、発光ダイオードは、冷光発光に属し、その体積は小さく、反応速度が速く、発光時間が長く、消費電力が低く、耐振動等の特性がある。
この他、発光ダイオードは水銀を使用せず、汚染の恐れがなく、しかもパーツはリサイクルして利用可能という長所があるため、環境保護意識が高まり、省エネと二酸化炭素の削減が叫ばれる今日の社会において、発光ダイオードは徐々に伝統的な白熱灯に代わり、最も人気のある発光部品になりつつある。
【０００３】
しかし、発光ダイオードが発する光線は点状光で、照射面積が小さいという欠点がある他、他の発光部品が発する光線に比べ、人類が両目で直視するには適さず、しかも目を傷つけやすい。
上記した発光ダイオードが発する光線が、人類が両目で直視するには適さず、しかも人類の両目を傷つけやすいという欠点を克服するため、市場の発光ダイオード照明ランプユニットは、反射式発光ダイオード照明ランプユニット、及び直下式発光ダイオード照明ランプユニットの設計を採用している。
【０００４】
反射式発光ダイオード照明ランプユニットは、発光ダイオードが発する光線を、反射面へと照射させた後、均一に射出するものである。
これにより、反射式発光ダイオード照明ランプユニットは、柔和で目を傷つけない光線を発し、その照射面積を拡大することができる。
該構造は主に、家庭、オフィス等人々が長時間いる場所で使用される。
【０００５】
直下式発光ダイオード照明ランプユニットは、一切の反射面を経ずに直接発光ダイオードが発する光線を射出するものである。
発光ダイオードが発する光線が、先ず、ランプユニット上に照射し、それから反射して出て行くものもあるが、大部分は発光ダイオードが発する光線は、依然として直接射出される。
そのため、上記した反射式発光ダイオード照明ランプユニットに比べ、より人類の目を傷つけ易い。
該構造は主に、宴会場、展示場、商店、及び寺廟等の、光の焦点を集める必要がある場所に用いられる。
【０００６】
特許文献１に示す従来の直下式発光ダイオード照明ランプユニットは、発光ダイオード照明具を開示する。
発光ダイオード照明具は、ランプボックス台及び発光ダイオードモジュールを備える。
ランプボックス台は、開口を備える収容設置空間を陥没状に備える。
収容設置空間は、基部、及び基部を取り囲む側壁部を備える。
発光ダイオードモジュールは、ランプボックス台の開口により、収容設置空間内の基部上に設置される。
発光ダイオードモジュールは、基板、エレクトリカルコンタクト、ダイオード駆動回路及び複数の発光ダイオードを備える。
エレクトリカルコンタクトは、電源に電気的に連接する。
これにより、電源とおおよそ相同の電圧レベルを提供する。
ダイオード駆動回路は、少なくとも１個のエレクトリカルコンタクトに電気的に連接する駆動部品を備える。
各発光ダイオードは、エレクトリカルコンタクトとダイオード駆動回路との間に電気的に連接する。
エレクトリカルコンタクト、ダイオード駆動回路、各発光ダイオードは、基板の同一表面に設置する。
【０００７】
上記した特許文献１において、各発光ダイオードは、ランプボックス台の収容設置空間内に設置される。
しかし、各発光ダイオードが発する光線は主に、ランプボックス台より直接射出されるため、使用者の目を傷つけやすい。
たとえ、使用者が各発光ダイオードをわざわざ直視しなくても、ランプボックス台の、各発光ダイオードに対する遮光効果が低いため、使用者は、各発光ダイオードの照射範囲内において、目の端の可視範囲で、各発光ダイオードが見えてしまう。
これが長時間になれば、使用者の目は同様に傷ついてしまう。
【０００８】
この他、各発光ダイオードは、ランプボックス台の収容設置空間内に設置するため、上記の特許文献１の照射区域では、中央区域が比較的明るく、周囲区域が比較的暗い現象が発生する。
この現象は、使用者にとって、不快と不便につながる。
【０００９】
よって、直接照射して使用者の目を傷つける恐れがなく、光線を均一に分散可能な直下式発光ダイオード照明ランプユニットの開発が待たれる。
すなわち本考案は、従来の直下式発光ダイオード照明ランプユニットの上記した欠点に鑑みてなされたものである。
【先行技術文献】
【特許文献】
【００１０】
【特許文献１】中華民国実用新案公告第Ｍ３６９４２８号
【考案の概要】
【考案が解決しようとする課題】
【００１１】
本考案が解決しようとする第一の課題は、直接照射して使用者の目を傷つける恐れが低い直下式発光ダイオード照明ランプユニットを提供することである。
本考案が解決しようとする第二の課題は、光線を均一に分散可能な直下式発光ダイオード照明ランプユニットを提供することである。
【課題を解決するための手段】
【００１２】
上記課題を解決するため、本考案は下記の直下式発光ダイオード照明ランプユニットを提供する。
直下式発光ダイオード照明ランプユニットは、ベースと、印刷回路板と、複数の発光ダイオードモジュールとを備え、該ベースは、表面を備え、該印刷回路板は、該ベースの表面に設置し、該複数の発光ダイオードモジュールは、該印刷回路板のベース表面とは異なる一面に設置し、該各発光ダイオードモジュールは、該印刷回路板のベース表面とは異なる一面に設置する発光ダイオード、及び該発光ダイオードに嵌めて設置するランプボックスを備え、
該各ランプボックスは、第一開口、及び該第一開口に相対し、しかもそれぞれ該各発光ダイオードを囲んで接続する第二開口を開設することを特徴とする。
上記した構造により、該各発光ダイオードモジュールの発光ダイオードは、該ランプボックスの第二開口に嵌めて設置するため、該各発光ダイオードは、該各ランプボックスに適切に遮光され、これにより使用者は、該複数の発光ダイオードを容易に見ることはなくなる。
こうして、該複数の発光ダイオードが発する光線が目を傷つけることを回避でき、該各発光ダイオードが射出する光線は、反射を経た後に射出され、均一な照射区域を提供でき、使用上の快適性と利便性を達成することができる。
【考案の効果】
【００１３】
本考案の直下式発光ダイオード照明ランプユニットは、直接照射して使用者の目を傷つける恐れがなくなり、しかも射出する光線を均一に分散することができる。
【図面の簡単な説明】
【００１４】
【図１】本考案の実施例に係る直下式発光ダイオード照明ランプユニットの組合せ図である。
【図２】本考案の実施例に係る直下式発光ダイオード照明ランプユニットの局部拡大図である。
【図３】本考案の実施例に係る直下式発光ダイオード照明ランプユニットランプボックスの模式図である。
【図４】本考案の実施例に係る直下式発光ダイオード照明ランプユニットのランプボックスと光透過片の分解図である。
【図５】本考案直下式発光ダイオード照明ランプユニット実施例の使用模式図である。
【考案を実施するための形態】
【００１５】
以下に図面を参照しながら本考案を実施するための最良の形態について詳細に説明する。
【実施例】
【００１６】
図１〜４に示すように、本考案の実施例に係る直下式発光ダイオード照明ランプユニットは、ベース１、印刷回路板２、複数の発光ダイオードモジュール３を備える。
【００１７】
ベース１は、表面１１を備える。
印刷回路板２は、ベース１の表面１１に設置する。
【００１８】
複数の発光ダイオードモジュール３は、印刷回路板２のベース１表面１１とは異なる一面に設置する。
各発光ダイオードモジュール３は、印刷回路板２のベース１表面１１とは異なる一面に設置する発光ダイオード３１、発光ダイオード３１に嵌めて設置するランプボックス３２を備える。
各ランプボックス３２は、第一開口３２１、及び第一開口３２１に相対し、しかもそれぞれ各発光ダイオード３１を囲んで接続する第二開口３２２を開設する。
【００１９】
ベース１は、アルミ金属製で、ベース１の外観は、板状構造、ブロック体構造、或いは棒状構造を呈する。
本実施例中では、ベース１は、棒状構造である場合を示す。さらに、ベース１はさらに、複数の第一ベースネジ孔（図示なし）及び複数の第二ベースネジ孔１１１を貫通状に設置する。
【００２０】
印刷回路板２はさらに、複数の溶接点２１、及び複数の溶接点２１に溶接する複数の電線２２を設置し、これにより直下式発光ダイオード照明ランプユニットに発光の電力を提供する。
この他、印刷回路板２はさらに、複数の第一ベースネジ孔に相対する複数の印刷回路板ネジ孔２３を貫通状に設置し、これにより使用者は、複数のネジ２４を利用し、複数の第一ベースネジ孔と複数の印刷回路板ネジ孔２３にそれぞれ通すことができる。
こうして、印刷回路板２をベース１の表面１１に固定することができる。
【００２１】
さらに、各ランプボックス３２の第一開口３２１位置の外壁にはさらに、複数の固定孔３２１ａを陥没状に設置することができる。
この他、各ランプボックス３２の第一開口３２１にはさらに、光透過片４を被せて設置することができる。
光透過片４は、カラー光透過片或いは透明光透過片である。
また、光透過片４は、凹レンズ片或いは凸レンズ片で、凸レンズ片は、フレネルレンズ（Ｆｒｅｓｎｅｌ  ｌｅｎｓ）とすることができる。
本実施例中では、光透過片４は、フレネルレンズである。
【００２２】
この他、光透過片４の一面にはさらに、複数の固定孔３２１ａに相対する複数の固定柱４１を突出状に設置し、複数の固定柱４１をそれぞれ複数の固定孔３２１ａ内に挿入して設置する。
こうして、光透過片４を、各ランプボックス３２の第一開口３２１位置の外壁に固定する。
さらに、各ランプボックス３２の第二開口３２２位置の外壁にはさらに、複数の第二ベースネジ孔１１１に相対する複数のランプボックスネジ孔３２３を貫通状に設置する。
こうして、使用者は、複数のネジ３２４を複数の第二ベースネジ孔１１１と複数のランプボックスネジ孔３２３にそれぞれ通し、各ランプボックス３２固定の目的を達成することができる。
【００２３】
図５に示すように、使用者が本考案に係る直下式発光ダイオード照明ランプユニットを使用する時には、先ず、複数の電線２２を電源（図示なし）に電気的に接続すると、直下式発光ダイオード照明ランプユニットが点灯する。
複数の発光ダイオード３１は、複数のランプボックス３２の第二開口３２２にそれぞれ嵌めて設置するため、各発光ダイオード３１は、各ランプボックス３２の遮光を受ける。
これにより、使用者の両目は、複数の発光ダイオード３１を容易に見ることはなくなり、たとえ使用者が直下式発光ダイオード照明ランプユニットの照射範囲内であっても、その目の端は、複数の発光ダイオード３１の存在に気づくにくい。
こうして、使用者は、長時間その照射範囲内にいることができる。
【００２４】
この他、本考案の直下式発光ダイオード照明ランプユニットが点灯すると、その複数の発光ダイオード３１は、複数のランプボックス３２の第二開口３２２にそれぞれ嵌めて設置するため、各発光ダイオード３１が発する光線は、それが嵌めて設置されるランプボックス３２内において反射する。
これにより、直下式発光ダイオード照明ランプユニットが発射する光線は、集光の効果を残す他、その光線照射区域内の輝度は均一になる。
こうして、使用者に視覚の快適性と使用の利便性を提供し、宴会場、展示場、商店及び寺廟などの場所により適当となる。
【００２５】
上記した構造により、本考案は、各発光ダイオードを各ランプボックス内にそれぞれ嵌めて設置することで、直接照射して使用者の目を傷つける恐れがなく、しかも輝度が均一な照明方式を提供することができる。
目を傷つけやすく、しかも輝度が不均一であるという欠点を持つ従来の直下式発光ダイオード照明ランプユニットに比べ、本考案は高い応用性を提供することができ、実用性と付加価値を大幅に向上させることができる。
【符号の説明】
【００２６】
１        ベース
１１      表面
１１１    第二ベースネジ孔
２        印刷回路板
２１      溶接点
２２      電線
２３      印刷回路板ネジ孔
２４      ネジ
３        発光ダイオードモジュール
３１      発光ダイオード
３２      ランプボックス
３２１    第一開口
３２１ａ  固定孔
３２２    第二開口
３２３    ランプボックスネジ孔
３２４    ネジ
４        光透過片
４１      固定柱
【図１】
0003172381.tif 000003
【図２】
0003172381.tif 000004
【図３】
0003172381.tif 000005
【図４】
0003172381.tif 000006
【図５】
0003172381.tif 000007